(57)【要約】      （修正有）【課題】光ファイバケーブル保持具の一対のアーム部を開いて光ファイバケーブルを取り出す際に、別の光ファイバケーブルに触れてしまうことを抑制する。【解決手段】一対のアーム部２１を有し、前記一対のアーム部が光ファイバケーブルを囲むように保持する光ファイバケーブル保持具２０であって、前記一対のアーム部のうち、少なくとも一つの前記アーム部は、弾性変形することが可能な変形部２３と、前記変形部の端部に設けられ、前記アーム部が別の前記アーム部に対してラッチするラッチ部２４とを備え、前記ラッチ部は、前記別のアーム部に対して、前記一対のアーム部で囲まれた前記光ファイバケーブルの長手方向に移動することでラッチを解除することができることを特徴とする光ファイバケーブル保持具である。【選択図】図２
2019139050.tif 000002
【特許請求の範囲】
【請求項１】
一対のアーム部を有し、前記一対のアーム部が光ファイバケーブルを囲むように保持する光ファイバケーブル保持具であって、
前記一対のアーム部のうち、少なくとも一つの前記アーム部は、
弾性変形することが可能な変形部と、
前記変形部の端部に設けられ、前記アーム部が別の前記アーム部に対してラッチするラッチ部と
を備え、
前記ラッチ部が、前記別のアーム部に対して、前記一対のアーム部で囲まれた前記光ファイバケーブルの長手方向に移動することでラッチを解除することができる
ことを特徴とする光ファイバケーブル保持具。
【請求項２】
請求項１に記載の光ファイバケーブル保持具であって、
前記一対のアーム部は、前記ラッチが解除された状態のとき、前記ラッチ部の側が開くように形成されている
ことを特徴とする光ファイバケーブル保持具。
【請求項３】
請求項１又は２に記載の光ファイバケーブル保持具であって、
前記少なくとも一つのアーム部は、前記ラッチ部に設けられたラッチ解除爪を備え、
前記ラッチ解除爪を前記長手方向に移動させることで前記ラッチを解除することができる
ことを特徴とする光ファイバケーブル保持具。
【請求項４】
光コネクタ接続部を備える複数の引き出し部と、
前記引き出し部に設けられ、前記光コネクタ接続部に接続される光ファイバケーブルを保持する光ファイバケーブル保持具と
を有する光配線ユニットであって、
前記光ファイバケーブル保持具は、一対のアーム部を備え、前記一対のアーム部が前記光ファイバケーブルを囲むように保持し、
前記一対のアーム部のうち、少なくとも一つの前記アーム部は、
弾性変形することが可能な変形部と、
前記変形部の端部に設けられ、前記アーム部が別の前記アーム部に対してラッチするラッチ部と
を備え、
前記ラッチ部が、前記別のアーム部に対して、前記一対のアーム部で囲まれた前記光ファイバケーブルの長手方向に移動することでラッチを解除することができる
ことを特徴とする光配線ユニット。
【請求項５】
請求項４に記載の光配線ユニットであって、
前記一対のアーム部は、前記複数の引き出し部が配列される方向と同じ方向に配列されており、
前記ラッチが解除された状態のとき、前記ラッチ部の側が開くように形成されている
ことを特徴とする光配線ユニット。
【発明の詳細な説明】
【技術分野】
【０００１】
本発明は、光ファイバケーブル保持具及び光配線ユニットに関する。
【背景技術】
【０００２】
光接続箱や光配線箱等を構成する光配線ユニットとして、複数の光部品収納トレイを筐体内に挿入して収容するものが知られている。このように筐体内に収容されるそれぞれの光部品収納トレイには、手前側（作業者側）から光コネクタプラグ（以下、単に「光プラグ」と呼ぶことがある）が着脱可能な複数の光アダプタが設けられている。光ファイバケーブルが光プラグを介してそれぞれの光アダプタに対して接続されることで、光配線ユニットの手前側（作業者側）には多数の光ファイバケーブルが垂れ下がることになる。この際、光ファイバケーブル保持具を使用することにより、多数の光ファイバケーブルを光部品収納トレイ毎に束ねて保持することができる。
【０００３】
このような光配線ユニットで使用される光ファイバケーブル保持具に関して、例えば、特許文献１には、光ファイバケーブル保持具のアーム部の端部同士における隙間（図１に示すケーブル挿入口２５）に対して光ファイバケーブルを差し入れ、又は取り出すことが可能な光ファイバケーブル保持具が開示されている。また、特許文献２には、光ファイバケーブルを四辺で囲むように保持する光ファイバケーブル保持具が開示されている。四辺のうちの一辺の部材（図２（ｃ）に示す一辺３１）は、一端を中心に回動可能に設けられており、当該部材を回動させることにより、光ファイバケーブルを差し入れ、又は取り出すことができる。
【先行技術文献】
【特許文献】
【０００４】
【特許文献１】特開２００４−５５８７７号公報
【特許文献２】特開２００８−３３０１２号公報
【発明の概要】
【発明が解決しようとする課題】
【０００５】
特許文献１に記載された光ファイバケーブル保持具の場合、光ファイバケーブル保持具に対して光ファイバケーブルを差し入れ、又は取り出す際、アーム部の端部同士の隙間を開きつつ光ファイバケーブルを差し入れ、又は取り出す必要がある。このため、アーム部を開く作業の際に、差し入れ、又は取り出す対象の光ファイバケーブルとは別の光ファイバケーブルに触れてしまうことで、当該別の光ファイバケーブルに曲げや損傷を与え、損失を増大させるおそれがあった。また、特許文献２に記載された光ファイバケーブル保持具の場合でも、アーム部を開く作業の際に一辺の部材（一辺３１）が光ファイバケーブル保持具の外側に向かって大きく回動するので、同様に当該別の光ファイバケーブルに触れてしまうおそれがあった。
【０００６】
本発明は、光ファイバケーブル保持具の一対のアーム部を開いて光ファイバケーブルを差し入れ、又は取り出す際に、別の光ファイバケーブルに触れてしまうことを抑制することを目的とする。
【課題を解決するための手段】
【０００７】
本発明の幾つかの実施形態は、一対のアーム部を有し、前記一対のアーム部が光ファイバケーブルを囲むように保持する光ファイバケーブル保持具であって、前記一対のアーム部のうち、少なくとも一つの前記アーム部は、弾性変形することが可能な変形部と、前記変形部の端部に設けられ、前記アーム部が別の前記アーム部に対してラッチするラッチ部とを備え、前記ラッチ部が、前記別のアーム部に対して、前記一対のアーム部で囲まれた前記光ファイバケーブルの長手方向に移動することでラッチを解除することができることを特徴とする光ファイバケーブル保持具である。
【０００８】
本発明の他の特徴については、後述する明細書及び図面の記載により明らかにする。
【発明の効果】
【０００９】
本発明の幾つかの実施形態によれば、光ファイバケーブル保持具の一対のアーム部を開いて光ファイバケーブルを差し入れ、又は取り出す際に、別の光ファイバケーブルに触れてしまうことを抑制することができる。
【図面の簡単な説明】
【００１０】
【図１】図１は、本実施形態の光ファイバケーブル保持具２０が設けられた光配線ユニット１０の斜視図である。
【図２】図２Ａは、本実施形態の光ファイバケーブル保持具２０（ラッチ解除時）の平面図である。図２Ｂは、本実施形態の光ファイバケーブル保持具２０（ラッチ解除時）の正面図である。
【図３】図３Ａは、本実施形態の光ファイバケーブル保持具２０（ラッチ時）の平面図である。図３Ｂは、本実施形態の光ファイバケーブル保持具２０（ラッチ時）の正面図である。
【図４】図４Ａ及び図４Ｂは、本実施形態の光ファイバケーブル保持具２０のラッチ動作の様子を示す断面図である。
【図５】図５は、本実施形態の光ファイバケーブル保持具２０のラッチ解除動作の様子を示す断面図である。
【図６】図６Ａは、第１変形例の光ファイバケーブル保持具２０におけるラッチ部２４を示す図である。図６Ｂは、第２変形例の光ファイバケーブル保持具２０におけるラッチ部２４を示す図である。
【発明を実施するための形態】
【００１１】
後述する明細書及び図面の記載から、少なくとも以下の事項が明らかとなる。
【００１２】
一対のアーム部を有し、前記一対のアーム部が光ファイバケーブルを囲むように保持する光ファイバケーブル保持具であって、前記一対のアーム部のうち、少なくとも一つの前記アーム部は、弾性変形することが可能な変形部と、前記変形部の端部に設けられ、前記アーム部が別の前記アーム部に対してラッチするラッチ部とを備え、前記ラッチ部が、前記別のアーム部に対して、前記一対のアーム部で囲まれた前記光ファイバケーブルの長手方向に移動することでラッチを解除することができることを特徴とする光ファイバケーブル保持具が明らかとなる。このような光ファイバケーブル保持具によれば、光ファイバケーブル保持具の一対のアーム部を開いて光ファイバケーブルを差し入れ、又は取り出す際に、別の光ファイバケーブルに触れてしまうことを抑制することができる。
【００１３】
前記一対のアーム部は、前記ラッチが解除された状態のとき、前記ラッチ部の側が開くように形成されていることが望ましい。これにより、光ファイバケーブルを容易に差し入れ、又は容易に取り出すことができる。
【００１４】
前記少なくとも一つのアーム部は、前記ラッチ部に設けられたラッチ解除爪を備え、前記ラッチ解除爪を前記長手方向に移動させることで前記ラッチを解除することができることが望ましい。これにより、ラッチ部のラッチを容易に解除することができる。
【００１５】
光コネクタ接続部を備える複数の引き出し部と、前記引き出し部に設けられ、前記光コネクタ接続部に接続される光ファイバケーブルを保持する光ファイバケーブル保持具とを有する光配線ユニットであって、前記光ファイバケーブル保持具は、一対のアーム部を備え、前記一対のアーム部が前記光ファイバケーブルを囲むように保持し、前記一対のアーム部のうち、少なくとも一つの前記アーム部は、弾性変形することが可能な変形部と、前記変形部の端部に設けられ、前記アーム部が別の前記アーム部に対してラッチするラッチ部とを備え、前記ラッチ部が、前記別のアーム部に対して、前記一対のアーム部で囲まれた前記光ファイバケーブルの長手方向に移動することでラッチを解除することができることを特徴とする光配線ユニットが明らかとなる。このような光配線ユニットによれば、光ファイバケーブル保持具の一対のアーム部を開いて光ファイバケーブルを差し入れ、又は取り出す際に、別の光ファイバケーブルに触れてしまうことを抑制することができる。
【００１６】
前記一対のアーム部は、前記複数の引き出し部が配列される方向と同じ方向に配列されており、前記ラッチが解除された状態のとき、前記ラッチ部の側が開くように形成されていることが望ましい。これにより、光ファイバケーブルを容易に差し入れ、又は容易に取り出すことができる。
【００１７】
＝＝＝本実施形態＝＝＝
＜光配線ユニット１０の全体構成＞
図１は、本実施形態の光ファイバケーブル保持具２０が設けられた光配線ユニット１０の斜視図である。
【００１８】
以下の説明では、図に示すように各方向を定義する。すなわち、光配線ユニット１０の筐体１１に対して引き出し部１２を移動（引き出し又は押込み）させる方向を「前後方向」とし、引き出し部１２を引き出す側を「前」とし、逆側（引き出し部１２を押し込む側）を「後」とする。なお、前後方向のことを「引き出し方向」又は「押し込み方向」と呼ぶことがある。また、引き出し部１２において複数の光コネクタアダプタ１６（以下、単に「光アダプタ１６」と呼ぶことがある）が配列される方向を「上下方向」とし、引き出し部１２において光ファイバケーブル保持具２０が設けられる側を「下」とし、逆側を「上」とする。また、前後方向及び上下方向に垂直な方向を「左右方向」とし、前から後を見た時の右側を「右」とし、逆側を「左」とする。なお、左右方向は、複数の引き出し部１２が配列される方向でもある。
【００１９】
光配線ユニット１０は、複数心を有する基幹光ファイバケーブルを単心毎の光ファイバケーブルに分岐すると共に、分岐された単心の各光ファイバケーブルの端部がコネクタ接続可能に成端された装置である。光配線ユニット１０は、光接続箱と呼ぶことがある。さらに、光配線ユニット１０は、光成端箱又は光配線箱と呼ぶこともある。図１に示すように、本実施形態では、光配線ユニット１０の後部に設けられた分岐部２により、複数心を有する基幹光ファイバケーブル１が単心毎の内部側光ファイバケーブル３に分岐されている。さらに、分岐された内部側光ファイバケーブル３の束は、光配線ユニット１０の筐体１１の内部に導入され、筐体１１の内部において各内部側光ファイバケーブル３の端部が光アダプタ１６にそれぞれ接続されている（不図示）。なお、各内部側光ファイバケーブル３の端部には、内部側光コネクタプラグ４（以下、単に「内部側光プラグ４」と呼ぶことがある）が設けられており、各内部側光プラグ４が光アダプタ１６に接続されている。そして、内部側光プラグ４が接続された光アダプタ１６に対して、筐体１１の外部側から作業側光コネクタプラグ５（以下、単に「作業側光プラグ５」と呼ぶことがある）が挿抜されることにより、内部側光ファイバケーブル３と作業側光ファイバケーブル６との接続を切り替え可能にすることができる。図１に示すように、作業側光ファイバケーブル６の束は光配線ユニット１０の下方に引き回されている。
【００２０】
光配線ユニット１０は、筐体１１と、複数の引き出し部１２と、スライド機構５０とを有する。
【００２１】
筐体１１は、複数の引き出し部１２及びスライド機構５０を収容する部材である。また、筐体１１は、不図示のラックに取り付けられることで、光配線ユニット１０を固定する部材でもある。筐体１１の前側の面が設けられず開口していることにより、後述する引き出し部１２を筐体１１に対して前側に引き出すことができる。なお、複数の引き出し部１２が全て押込み状態（後述）の際に、筐体１１の前側の面を覆うように不図示の蓋部材が設けられてもよい。
【００２２】
引き出し部１２は、複数（ここでは６個）の光アダプタ１６（後述）を保持する部材である。図１に示すように、引き出し部１２は左右方向に垂直な板状に形成されている。引き出し部１２は、光アダプタ１６を有しており、引き出し部１２の前側に複数の光アダプタ１６が配列されている。本実施形態の光配線ユニット１０では、１２個の引き出し部１２が左右方向に配列されている。但し、本実施形態の光配線ユニット１０における引き出し部１２の配列方向や数はこの限りではない。なお、引き出し部１２の上下の両端にはスライド機構５０がそれぞれ設けられている。これにより、引き出し部１２は、筐体１１に対して移動（引き出し又は押込み）することが可能である。
【００２３】
図１では、光配線ユニット１０が有する複数の引き出し部１２のうち、左から２番目の引き出し部１２が引き出されている。このように、引き出し部１２が引き出された状態を「引き出し状態」と呼ぶことがある。また、図１に示すように、光配線ユニット１０が有する複数の引き出し部１２のうち、左から２番目の引き出し部１２以外の引き出し部１２は引き出されていない。このように、引き出し部１２が引き出されていない状態を「初期状態」又は「押込み状態」と呼ぶことがある。引き出し状態となっている引き出し部１２では、光アダプタ１６（後述）が他の引き出し部１２の光アダプタ１６よりも前側に引き出されているので、作業者は、光アダプタ１６に対する作業側光プラグ５の挿抜作業を容易に行うことができる。そして、引き出し状態となっている引き出し部１２を押し込むと、再び初期状態（又は押込み状態）となる。
【００２４】
光アダプタ１６は、光配線ユニット１０の内外の光ファイバケーブルをコネクタ接続可能にする部材である。図１に示すように、本実施形態では、光アダプタ１６を介して内部側光プラグ４と作業側光プラグ５とが接続されることにより、筐体１１内の内部側光ファイバケーブル３と筐体１１外の作業側光ファイバケーブル６とがコネクタ接続されている。なお、光アダプタ１６のことを「光コネクタ接続部１６」と呼ぶことがある。図１に示すように、本実施形態の光配線ユニット１０における引き出し部１２は複数（ここでは６個）の光アダプタ１６を有する。そして、光アダプタ１６は４心タイプの光アダプタである。このため、引き出し部１２は上下方向に計２４個の作業側光プラグ５（又は内部側光プラグ４）の接続口を有する。但し、光アダプタ１６や接続口の配列方向や数はこの限りではない。
【００２５】
スライド機構５０は、引き出し部１２を前後方向に移動可能にする部材である。スライド機構５０の固定側レールが筐体１１に取り付けられ、スライド機構５０の可動側レールが引き出し部１２に取り付けられている。可動側レールが固定側レールに対して前後方向に移動することで、引き出し部１２が筐体１１に対して前後方向に移動することができる。なお、スライド機構５０は、引き出し部１２の上下に一対ずつ設けられている。
【００２６】
本実施形態では、光配線ユニット１０は、光ファイバケーブル保持具２０と、配線識別ユニット４０と、連結機構６０と、ケーブル導入部８０とをさらに有する。
【００２７】
光ファイバケーブル保持具２０は、複数の光ファイバケーブルを束ねて保持する部材である。図１に示すように、本実施形態の光ファイバケーブル保持具２０は、引き出し部１２の下部に取り付けられている。そして、引き出し部１２の光アダプタ１６に接続され、下方に垂れ下がった複数の作業側光ファイバケーブル６を束ねて保持している。前述したように、引き出し部１２は上下方向に計２４個の作業側光プラグ５の接続口を有しているため、光ファイバケーブル保持具２０は、最大で２４本の作業側光ファイバケーブル６を束ねて保持することができる。但し、光ファイバケーブル保持具２０が保持できる作業側光ファイバケーブル６の数はこの限りではない。また、例えば光ファイバケーブル保持具２０が筐体１１の内部に取り付けられることにより、複数の内部側光ファイバケーブル３を束ねて保持してもよい。さらに、光ファイバケーブル保持具２０は、作業側光ファイバケーブル６や内部側光ファイバケーブル３以外の複数の光ファイバケーブルを束ねて保持してもよい。
【００２８】
配線識別ユニット４０は、光ファイバケーブルの束を識別する部材である。図１に示すように、本実施形態の配線識別ユニット４０は、筐体１１の内部に設けられた固定部材１３に取り付けられている。そして、引き出し部１２の光アダプタ１６に接続された複数の内部側光ファイバケーブル３を束ねて保持している。但し、図１では、配線識別ユニット４０が複数の内部側光ファイバケーブル３を束ねて保持する様子の図示を省略している。また、配線識別ユニット４０の識別部４２に設けられた識別マーク４４により、引き出し部１２毎に内部側光ファイバケーブル３の束を識別することができる。なお、前述したように、引き出し部１２は上下方向に計２４個の内部側光プラグ４の接続口を有しているため、配線識別ユニット４０は、最大で２４本の内部側光ファイバケーブル３を束ねて保持することができる。但し、配線識別ユニット４０が保持できる内部側光ファイバケーブル３の数はこの限りではない。また、例えば配線識別ユニット４０が筐体１１の外部に取り付けられることにより、複数の作業側光ファイバケーブル６を束ねて保持してもよい。さらに、配線識別ユニット４０は、作業側光ファイバケーブル６や内部側光ファイバケーブル３以外の複数の光ファイバケーブルを束ねて保持してもよい。
【００２９】
連結機構６０は、光配線ユニットの引き出し部を光配線ユニットの筐体に対して取り外し可能にする部材である。図１に示すように、本実施形態の連結機構６０は、引き出し部１２とスライド機構５０との間に設けられている。また、連結機構６０は、引き出し部１２の上下に一対ずつ設けられている。
【００３０】
ケーブル導入部８０は、光ファイバケーブルを光配線ユニットの筐体内に導入する部材である。図１に示すように、本実施形態のケーブル導入部８０は、筐体１１の後部に設けられている。また、ケーブル導入部８０には、分岐部２が取り付けられている。分岐部２により複数心を有する基幹光ファイバケーブル１が単心毎の内部側光ファイバケーブル３に分岐され、内部側光ファイバケーブル３の束は、ケーブル導入部８０に設けられた導入開口部８１から筐体１１の内部に導入されている。
【００３１】
＜光ファイバケーブル保持具２０＞
図２Ａは、本実施形態の光ファイバケーブル保持具２０（ラッチ解除時）の平面図である。図２Ｂは、本実施形態の光ファイバケーブル保持具２０（ラッチ解除時）の正面図である。図３Ａは、本実施形態の光ファイバケーブル保持具２０（ラッチ時）の平面図である。図３Ｂは、本実施形態の光ファイバケーブル保持具２０（ラッチ時）の正面図である。
【００３２】
図２Ａ及び図２Ｂは、光ファイバケーブル保持具２０の一対のアーム部２１に設けられたラッチ部２４（後述）のラッチが解除された状態（以下、「ラッチ解除時」と呼ぶことがある。）を示している。また、図３Ａ及び図３Ｂは、光ファイバケーブル保持具２０の一対のアーム部２１に設けられたラッチ部２４（後述）がラッチされた状態（以下、「ラッチ時」と呼ぶことがある。）を示している。前述したように、光ファイバケーブル保持具２０は、複数の光ファイバケーブルを束ねて保持する部材である。光ファイバケーブル保持具２０は、アーム部２１と、取り付け部２２とを有する。
【００３３】
アーム部２１は、複数の光ファイバケーブルを束ねて保持する部位である。アーム部２１は、光ファイバケーブル保持具２０の前側に設けられている。そして、アーム部２１の後側には取り付け部２２が設けられている。図２Ａ及び図３Ａに示すように、本実施形態の光ファイバケーブル保持具２０では、一対のアーム部２１（アーム部２１Ａ及びアーム部２１Ｂ）が設けられている。これらの一対のアーム部２１は、左右方向に配列されており、それぞれのアーム部２１が取り付け部２２から前方（ラッチ部２４の側）に延び出るように設けられている。図２Ａに示すように、ラッチ時の一対のアーム部２１で囲まれた空間が複数の作業側光ファイバケーブル６を束ねて保持する空間となっている。また、複数の作業側光ファイバケーブル６を束ねて保持する空間は、前後方向に長い空間で形成されている。したがって、図２Ａに示すように、作業側光ファイバケーブル６の束は前後方向に並んで保持されることになる。これにより、作業側光ファイバケーブル６の束から任意の作業側光ファイバケーブル６を見つけやすくなり、容易に取り出しやすくなる。また、作業側光ファイバケーブル６の束が前後方向に並んで保持されることにより、作業側光ファイバケーブル６同士で絡んでしまうことを抑制することができる。
【００３４】
前述したように、一対のアーム部２１は、左右方向に配列されており、この配列方向は光配線ユニット１０の複数の引き出し部１２の配列方向と同じである。これにより、複数の引き出し部１２の内、任意の引き出し部１２を引き出した後、当該引き出し部１２における一対のアーム部２１のラッチ部２４のラッチを解除した際でも、作業者は光ファイバケーブル出入口２８から作業側光ファイバケーブル６を容易に差し入れ、又は容易に取り出すことができる。
【００３５】
以下の説明では、光ファイバケーブル保持具２０の一対のアーム部２１において、右側に位置するアーム部２１（アーム部２１Ａ）の部材・部位には、符号に添え字「Ａ」を付け、左側に位置するアーム部２１（アーム部２１Ｂ）の部材・部位には、符号に添え字「Ｂ」を付けている。また、アーム部２１Ａ及びアーム部２１Ｂに共通の部材・部位を指すときには、添え字を付けないことがある。例えば、変形部２３Ａ及び変形部２３Ｂの両方のことを指して単に「変形部２３」と呼ぶことがある。
【００３６】
前述したように、図２Ａに示す光ファイバケーブル保持具２０は、一対のアーム部２１に設けられたラッチ部２４のラッチが解除された状態（ラッチ解除時）である。ラッチ解除時の光ファイバケーブル保持具２０では、一対のアーム部２１が取り付け部２２から前方（ラッチ部２４の側）に向かって開くようにあらかじめ形成されている。つまり、一対のアーム部２１間の左右方向の距離は、取り付け部２２から前方（ラッチ部２４の側）に向かって徐々に大きくなるようにあらかじめ形成されている。このとき、一対のアーム部２１の前側の端部（ラッチ部２４）の間には、光ファイバケーブル出入口２８が形成されている。これにより、作業者は光ファイバケーブル出入口２８から作業側光ファイバケーブル６を容易に差し入れ、又は容易に取り出すことができる。
【００３７】
前述したように、図３Ａに示す光ファイバケーブル保持具２０は、一対のアーム部２１に設けられたラッチ部２４がラッチされた状態（ラッチ時）である。前述したラッチ解除時の光ファイバケーブル保持具２０では、一対のアーム部２１が取り付け部２２から前方（ラッチ部２４の側）に向かって開くようにあらかじめ形成されていた。本実施形態では、一対のアーム部２１の前側の端部を互いに内側（以下、「ラッチ方向」と呼ぶことがある）に移動させることで、一対のアーム部２１を弾性変形させ、ラッチ部２４をラッチさせる。そして、ラッチ時の光ファイバケーブル保持具２０では、一対のアーム部２１の前側の端部（ラッチ部２４）の間に形成されていた光ファイバケーブル出入口２８が閉じられる。こうして、複数の作業側光ファイバケーブル６を束ねて保持する空間である一対のアーム部２１で囲まれた空間が形成される。なお、光ファイバケーブル出入口２８が閉じられることで、作業側光ファイバケーブル６は、一対のアーム部２１で囲まれた空間に出入りすることができなくなっている。これにより、複数の作業側光ファイバケーブル６を束ねて保持することができる。
【００３８】
アーム部２１は、変形部２３と、ラッチ部２４とを有する。
【００３９】
変形部２３は、ラッチ部２４をラッチさせる際又はラッチ部２４をラッチ解除する際に弾性変形する部位である。変形部２３の材料としては、プラスチック材料が使用されてもよいし、高炭素鋼、合金鋼、ステンレス鋼等のばね鋼が使用されてもよい。図２Ａに示すように、ラッチ解除時の光ファイバケーブル保持具２０では、一対の変形部２３（変形部２３Ａ及び変形部２３Ｂ）が取り付け部２２から前方（ラッチ部２４の側）に向かって開くようにあらかじめ形成されている。そして、図２Ｂに示すように、ラッチ部２４をラッチさせるために、一対の変形部２３を互いにラッチ方向に弾性変形させる。
【００４０】
ラッチ部２４は、一対のアーム部２１の前側の端部同士においてラッチする部位である。図２Ｂ及び図３Ｂに示すように、ラッチ部２４Ａは、変形部２３Ａの前側の端部における下部分から左側（ラッチ部２４Ｂ側）に延び出ている。そして、ラッチ部２４Ａには、上側に延び出るラッチ突起部２６Ａが設けられている。また、図２Ｂ及び図３Ｂに示すように、ラッチ部２４Ｂは、変形部２３Ｂの前側の端部における上部分から右側（ラッチ部２４Ａ側）に延び出ている。そして、ラッチ部２４Ｂには、下側に延び出るラッチ突起部２６Ｂが設けられている。
【００４１】
ラッチ突起部２６は、突き合わせ面２９と、係止面３０とを有する（突き合わせ面２９については、図２Ｂ参照、及び、係止面３０については、図３Ｂ参照）。突き合わせ面２９は、ラッチ解除時からラッチ時に移行する際にラッチ突起部２６同士（ラッチ突起部２６Ａ及びラッチ突起部２６Ｂ）が突き合わされる面である。突き合わせ面２９は、ラッチ方向に垂直な面に対して傾斜して形成されている。係止面３０は、ラッチ時にラッチ突起部２６同士（ラッチ突起部２６Ａ及びラッチ突起部２６Ｂ）が係止される面である。なお、ラッチ部２４がラッチする形状であれば、突き合わせ面２９と、係止面３０とがこのように形成されなくてもよい。また、突き合わせ面２９及び係止面３０の動作については、後述する。
【００４２】
図２Ａ及び図３Ａに示すように、本実施形態の光ファイバケーブル保持具２０では、ラッチ突起部２６にラッチ解除爪２５が設けられている。ラッチ解除爪２５は、ラッチ部２４のラッチを解除する部位である。ラッチ解除爪２５を下側に押圧することで、ラッチ解除爪２５が設けられたラッチ部２４Ａが下方に移動し、ラッチ突起部２６Ａとラッチ突起部２６Ｂとの係止が外れる。これにより、ラッチ部２４のラッチを解除することができる。なお、ラッチ部２４Ａを下側に直接押圧することでラッチ突起部２６Ａとラッチ突起部２６Ｂとの係止を外すことができるので、ラッチ解除爪２５が設けられなくてもよい。但し、ラッチ解除爪２５が設けられていることで、多数の作業側光ファイバケーブル６が光ファイバケーブル保持具２０の前に垂れ下がっている状態でも、作業者はラッチ部２４のラッチを解除できる部位を容易に見つけることができる。また、ラッチ解除爪２５の動作については、後述する。
【００４３】
取り付け部２２は、光ファイバケーブル保持具２０を引き出し部１２に対して固定する部位である。取り付け部２２は、光ファイバケーブル保持具２０の後側に設けられている。そして、取り付け部２２の前側には一対のアーム部２１が設けられている。引き出し部１２に対して取り付け部２２をねじ留め固定等することにより、光ファイバケーブル保持具２０を引き出し部１２に対して固定することができる。なお、一対のアーム部２１が引き出し部１２に対して直接固定されることにより、取り付け部２２が設けられなくてもよい。
【００４４】
なお、取り付け部２２には、湾曲部２７が設けられている（湾曲部２７については、後述する図４Ａ、図４Ｂ及び図５も参照）。湾曲部２７は、取り付け部２２において、一対のアーム部２１側に設けられた湾曲面である。湾曲部２７は、ラッチ時の一対のアーム部２１と共に、複数の作業側光ファイバケーブル６を束ねて保持する空間を構成する。湾曲部２７が取り付け部２２に設けられていることにより、作業側光ファイバケーブル６が湾曲部２７に接触した場合でも、作業側光ファイバケーブル６の湾曲が制限されることになる。このように作業側光ファイバケーブル６と接触する湾曲部２７が湾曲面として形成されているため、作業側光ファイバケーブル６に対して過度な曲げを付与することを抑制することができる。これにより、作業側光ファイバケーブル６の損傷を抑制し、作業側光ファイバケーブル６を保護することができる。
【００４５】
＜ラッチ動作＞
図４Ａ及び図４Ｂは、本実施形態の光ファイバケーブル保持具２０のラッチ動作の様子を示す断面図である。なお、図４Ａ及び図４Ｂにおいて、右側には光ファイバケーブル保持具２０のラッチ部２４部分の正面図を示している。また、左側には図４Ａ及び図４ＢのＡ−Ａ線における断面図を示している。
【００４６】
前述したように、本実施形態のラッチ動作では、一対のアーム部２１の前側の端部を互いにラッチ方向に移動させることで、一対のアーム部２１を弾性変形させ、ラッチ部２４をラッチさせる。図４Ａの右側に示すように、まず作業者が一対のアーム部２１の前側の端部を互いにラッチ方向に移動させると、一対のラッチ突起部２６（ラッチ突起部２６Ａ及びラッチ突起部２６Ｂ）の突き合わせ面２９同士が突き合わせられることになる。さらに、作業者が一対のアーム部２１の前側の端部を互いにラッチ方向に押圧すると、一対のラッチ突起部２６が、相手方の突き合わせ面２９に沿って滑るように変位し、一対のラッチ突起部２６は、上下方向に相対的にずれることになる。そして、図４Ｂの右側に示すように互いのラッチ突起部２６を乗り越えることで、図３Ｂに示すラッチ突起部２６同士がかみ合う状態、すなわちラッチ状態となる。これにより、一対のアーム部２１の端部をつまむ動作だけでラッチ部２４を容易にラッチさせることができる。すなわち、作業者は一対のアーム部２１の前側の端部を互いにラッチ方向に押圧するという動作だけで、ラッチ部２４を容易にラッチさせることができる。
【００４７】
なお、前述したように、一対のラッチ突起部２６が上下方向に相対的にずれる際には、一対の変形部２３は相対的に上下方向に弾性変形することになる。つまり、図４Ｂの左側に示すように、変形部２３Ａは下側に弾性変形し、変形部２３Ｂは上側に弾性変形する。すなわち、一対の変形部２３（変形部２３Ａ及び変形部２３Ｂ）は、作業側光ファイバケーブル６の長手方向に変形することになる。これにより、ラッチ時において、一対の変形部２３は作業側光ファイバケーブル６の束に触れてしまうことを抑制することができる。
【００４８】
＜ラッチ解除動作＞
図５は、本実施形態の光ファイバケーブル保持具２０のラッチ解除動作の様子を示す断面図である。なお、図５において、右側には光ファイバケーブル保持具２０のラッチ部２４部分の正面図を示している。また、左側には図５のＢ−Ｂ線における断面図を示している。
【００４９】
前述したように、本実施形態のラッチ解除動作では、ラッチ解除爪２５を下側に押圧することで、ラッチ解除爪２５が設けられたラッチ部２４Ａが下方に移動し、ラッチ突起部２６Ａとラッチ突起部２６Ｂとの係止が外れ、ラッチ部２４のラッチが解除される。図５の右側に示すように、作業者がラッチ解除爪２５を下方に移動させると、ラッチ突起部２６Ａがラッチ突起部２６Ｂを乗り越えることで、ラッチ突起部２６Ａとラッチ突起部２６Ｂとの係止が外れる。ラッチ突起部２６Ａがラッチ突起部２６Ｂに対して下方にずれる際には、変形部２３Ａは変形部２３Ｂに対して下方に弾性変形することになる。つまり、図５の左側に示すように、変形部２３Ａは下側に弾性変形する。すなわち、変形部２３Ａは、作業側光ファイバケーブル６の長手方向に変形することになる。これにより、ラッチ解除時において、一対の変形部２３は作業側光ファイバケーブル６の束に触れてしまうことを抑制することができる。したがって、光ファイバケーブル保持具２０の一対のアーム部２１を開いて作業側光ファイバケーブル６を差し入れ、又は取り出す際に、別の作業側光ファイバケーブル６に触れてしまうことを抑制することができる。
【００５０】
＜第１変形例＞
図６Ａは、第１変形例の光ファイバケーブル保持具２０におけるラッチ部２４を示す図である。本実施形態の光ファイバケーブル保持具２０では、ラッチ突起部２６の係止面３０が、ラッチ方向に垂直な面であった。しかし、図６Ａに示す第１変形例では、ラッチ突起部２６の係止面３０が、ラッチ方向に対して斜めに設けられてもよい。これにより、ラッチ時にラッチ部２４のラッチが外れる向き（上下方向）に力が付与された場合でも、ラッチが意図せず解除されてしまうことを抑制することができる。
【００５１】
＜第２変形例＞
図６Ｂは、第２変形例の光ファイバケーブル保持具２０におけるラッチ部２４を示す図である。本実施形態の光ファイバケーブル保持具２０では、一対のアーム部２１の前側の端部のそれぞれにラッチ部２４が設けられていた。しかし、図６Ｂに示す第１変形例では、対のアーム部２１のうち一方のアーム部２１（アーム部２１Ａ）にのみラッチ部２４が設けられ、他方のアーム部２１に対してラッチ突起部２６が直接係止してもよい。なお、図６Ｂに示す第２変形例では、アーム部２１Ａにラッチ部２４Ａが設けられていたが、アーム部２１Ｂにラッチ部２４Ｂが設けられ、アーム部２１Ａに対してラッチ突起部２６Ｂが直接係止してもよい。
【００５２】
＝＝＝その他の実施形態＝＝＝
前述の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【００５３】
１  基幹光ファイバケーブル、２  分岐部、
３  内部側光ファイバケーブル、４  内部側光コネクタプラグ（内部側光プラグ）、
５  作業側光コネクタプラグ（作業側光プラグ）、６  作業側光ファイバケーブル、
１０  光配線ユニット（光接続箱）、１１  筐体、
１２  引き出し部、１６  光コネクタアダプタ（光アダプタ、光コネクタ接続部）、
２０  光ファイバケーブル保持具、２１（２１Ａ・２１Ｂ）  アーム部、
２２  取り付け部、２３（２３Ａ・２３Ｂ）  変形部、
２４（２４Ａ・２４Ｂ）  ラッチ部、２５  ラッチ解除爪、
２６（２６Ａ・２６Ｂ）  ラッチ突起部、２７  湾曲部、
２８  光ファイバケーブル出入口、２９  突き合わせ面、３０  係止面
【図１】
2019139050.tif 000003
【図２】
2019139050.tif 000004
【図３】
2019139050.tif 000005
【図４】
2019139050.tif 000006
【図５】
2019139050.tif 000007
【図６】
2019139050.tif 000008